(57)【特許請求の範囲】
【請求項１】
互いに対応した同じ内容のデータである、放送波を介して送信される放送データと、サーバから通信回線を介して送信される通信データとを、受信状態に応じて切り替えて受信するデータ受信端末であって、
前記放送データを受信するときの伝送誤りにより前記放送データの受信状態の劣化を検出する受信状態検出手段と、
前記通信データを受信するときの通信回線ビジー及びサーバビジーの少なくとも１つにより前記通信データの受信状態の劣化を検出する通信状態検出手段と、
前記放送データの放送チャンネル及び放送番組番号の少なくとも１つと、前記サーバのアドレスとの対応関係を表す番組対応表を記憶する記憶手段と、
前記受信状態検出手段で放送データの受信状態が劣化したと判断した場合に、前記番組対応表を参照して、前記放送データに対応したサーバから通信データを受信し、前記通信状態検出手段で通信データの受信状態が劣化したと判断した場合に、前記番組対応表を参照して、前記通信データに対応した放送チャンネルまたは放送番組番号により放送データを受信するように、受信の切り替えを行なう制御手段と、を備え、
前記制御手段が、前記放送データに重畳して当該放送データと対応する前記サーバのアドレスが通知されたときに、前記番組対応表において、現在受信している放送データの放送チャンネルまたは放送番組番号の対応関係を更新し、前記通信データに重畳して当該通信データと対応する放送データの放送チャンネルまたは放送番組番号が通知されたときに、前記番組対応表において、現在通信データを受信しているサーバのアドレスの対応関係を更新することを特徴とするデータ受信端末。
【請求項２】
前記制御手段は、予め定められた時間間隔内における伝送誤りが発生するパケットの割合と、伝送誤りの発生した連続パケット数との少なくとも１つの観測値と、予め設定された基準値との比較結果に基づいて、放送データから通信データへの受信の切り替えを行なうことを特徴とする請求項１に記載のデータ受信端末。
【請求項３】
前記制御手段は、前記通信回線ビジーと前記サーバビジーとの少なくとも１つの連続した回数、または予め定められた時間間隔内の観測回数と、予め設定された基準回数との比較結果に基づいて、通信データから放送データへの受信の切り替えを行なうことを特徴とする請求項１または請求項２に記載のデータ受信端末。
【請求項４】
放送データでサーバのアドレスが通知された際に切替遅延時間が設定されていた場合、予め優先端末として設定された端末は、当該切替遅延時間にかかわらず受信の切り替えを行ない、優先端末として設定されていない端末は、当該切替遅延時間経過後に受信の切り替えを行なうことを特徴とする請求項１乃至請求項３のいずれか１項に記載のデータ受信端末。
【請求項５】
互いに対応した同じ内容のデータである、放送波を介して送信される放送データと、サーバから通信回線を介して送信される通信データとを、受信状態に応じて切り替えて受信するデータ受信端末のコンピュータを、
前記放送データを受信するときの伝送誤りにより前記放送データの受信状態の劣化を検出する受信状態検出手段、
前記通信データを受信するときの通信回線ビジー及びサーバビジーの少なくとも１つにより前記通信データの受信状態の劣化を検出する通信状態検出手段、
前記受信状態検出手段で放送データの受信状態が劣化したと判断した場合に、記憶手段に記憶している放送チャンネル及び放送番組番号の少なくとも１つと、前記サーバのアドレスとの対応関係を表す番組対応表を参照して、前記放送データに対応したサーバから通信データを受信し、前記通信状態検出手段で通信データの受信状態が劣化したと判断した場合に、前記番組対応表を参照して、前記通信データに対応した放送チャンネルまたは放送番組番号により放送データを受信するように、受信の切り替えを行なう制御手段、として機能させ、
前記制御手段が、前記放送データに重畳して当該放送データと対応する前記サーバのアドレスが通知されたときに、前記番組対応表において、現在受信している放送データの放送チャンネルまたは放送番組番号の対応関係を更新し、前記通信データに重畳して当該通信データと対応する放送データの放送チャンネルまたは放送番組番号が通知されたときに、前記番組対応表において、現在通信データを受信しているサーバのアドレスの対応関係を更新することを特徴とするデータ受信プログラム。
【発明の詳細な説明】
【０００１】
【発明の属する技術分野】
本発明は、データ放送を介して提供される放送データと、通信回線を介して提供される通信データとを統合して利用することが可能なデータ受信端末及びデータ受信プログラムに関する。
【０００２】
【従来の技術】
現在、デジタル放送におけるデータ放送では、放送局側が同じデータを一定の周期で繰り返し送信し、受信側が放送の途中からでも必要なデータを取得できるデータカルーセル伝送方式が採用されている。
【０００３】
このデータカルーセル伝送方式は、ＩＳＯ／ＩＥＣ  １３８１６−６で規定された伝送方式で、図６にその概念図を示す。図６において、伝送上同一のデータが一定の周期で繰り返し伝送されているとすると、例えば、１回目のデータ伝送時の途中で放送受信機の電源をＯＮにすると、放送受信機は、同じデータの２回目の伝送のタイミングでデータを受信する。これによって、放送受信機は、放送時間中の任意の時点で必要なデータを取得することができる。
【０００４】
一方、インターネットに代表される通信サービスは、公衆回線を介して通信データを受信することで、視聴者はパーソナルコンピュータでデータを閲覧したり、携帯電話やＰＨＳ（Personal Handy-phone System）といった通信端末でデータを閲覧することができる。このため、放送局側が前記データ放送と同じ内容のデータをサーバ上に公開することで、前記通信端末でもデータ放送の内容を閲覧することが可能である。
【０００５】
【発明が解決しようとする課題】
しかし、受信側が放送データの受信に失敗した場合、前記データカルーセル伝送方式においては、次のデータ伝送の周期まで待って、再度受信を行なう必要がある。このため、悪天候により電波の弱くなる状況や、例えば携帯型の放送受信機であれば、ビルの間の電波が弱い状況においては、完全にデータを受信できるまでに何周期か受信を繰り返さなければならず、視聴者がデータを閲覧するまでの待ち時間が増大したり、受信できなかったりする問題があった。
【０００６】
また、通信端末において、サーバ上に公開されたデータ放送の内容を閲覧する場合、前記サーバにアクセスが集中すると、通信回線がビジー状態になったり、サーバがビジー状態になって、視聴者がデータを閲覧することができない、または閲覧するまでの待ち時間が増大してしまうという問題があった。
【０００７】
本発明は、以上のような問題点に鑑みてなされたものであり、デジタル放送におけるデータ放送を受信する際に、放送受信機と通信端末の機能を兼ね備え、放送波によるデータ受信と、サーバから通信回線を介して行なうデータ受信とをお互いに補完することで、効率的にデータ放送を受信するデータ受信端末及びデータ受信プログラムを提供することを目的とする。
【００１４】
【課題を解決するための手段】
本発明は、前記目的を達成するために提供されるものであり、まず、請求項１に記載のデータ受信端末は、放送データを受信するときの伝送誤りにより放送データの受信状態の劣化を検出する受信状態検出手段と、サーバから通信データを受信するときの通信回線ビジー及びサーバビジーの少なくとも１つにより通信データの受信状態の劣化を検出する通信状態検出手段と、前記放送データの放送チャンネル及び放送番組番号の少なくとも１つと、サーバのアドレスとの対応関係を表す番組対応表を記憶する記憶手段と、前記受信状態検出手段及び前記通信状態検出手段の検出結果に基づいて、放送データと通信データとの受信の切り替えを行なう制御手段と、を備える構成とした。
【００１５】
かかる構成によれば、データ受信端末は、受信状態検出手段によって、放送データを受信するときの伝送誤りを検出し、通信状態検出手段によって、通信データを受信するときの通信回線ビジー及びサーバビジーの少なくとも１つを検出し、記憶手段によって、前記放送データの放送チャンネル及び放送番組番号の少なくとも１つと、サーバのアドレスとの対応関係を表す番組対応表を記憶し、制御手段によって、前記受信状態検出手段及び前記通信状態検出手段の検出結果に基づいて、番組対応表を参照して、放送データと通信データとの受信の切り替えを行なう。
このとき、制御手段は、放送データに重畳して当該放送データと対応するサーバのアドレスが通知されたときに、番組対応表において、現在受信している放送データの放送チャンネルまたは放送番組番号の対応関係を更新し、通信データに重畳して当該通信データと対応する放送データの放送チャンネルまたは放送番組番号が通知されたときに、番組対応表において、現在通信データを受信しているサーバのアドレスの対応関係を更新する。
【００１６】
また、請求項２に記載のデータ受信端末は、請求項１に記載のデータ受信端末において、前記制御手段が、予め定められた時間間隔内における伝送誤りが発生するパケットの割合と、伝送誤りの発生した連続パケット数との少なくとも１つの観測値と、予め設定された基準値との比較結果に基づいて、放送データから通信データへの受信の切り替えを行なう構成とした。
【００１７】
かかる構成によれば、データ受信端末は、制御手段によって、予め定められた時間間隔内における伝送誤りが発生するパケットの割合と、伝送誤りの発生した連続パケット数との少なくとも１つの観測値と、予め設定された基準値との比較結果に基づいて、伝送誤りが基準値を超えた場合は、放送データから通信データへの受信の切り替えを行なう。
【００１８】
また、請求項３に記載のデータ受信端末は、請求項１または請求項２に記載のデータ受信端末において、前記制御手段が、前記通信回線ビジーと前記サーバビジーとの少なくとも１つの連続した回数、または予め定められた時間間隔内の観測回数と、予め設定された基準回数との比較結果に基づいて、通信データから放送データへの受信の切り替えを行なう構成とした。
【００１９】
かかる構成によれば、データ受信端末は、制御手段によって、前記通信回線ビジーと前記サーバビジーとの少なくとも１つの連続した回数、または予め定められた時間間隔内の観測回数と、予め設定された基準回数との比較結果に基づいて、通信回線ビジーまたはサーバビジーの回数が基準値を超えた場合は、通信データから放送データへの受信の切り替えを行なう。
【００２８】
また、請求項４に記載のデータ受信端末は、請求項１乃至請求項３のいずれか１項に記載のデータ受信端末において、放送データでサーバのアドレスが通知された際に切替遅延時間が設定されていた場合、予め優先端末として設定された端末は、当該切替遅延時間にかかわらず受信の切り替えを行ない、優先端末として設定されていない端末は、当該切替遅延時間経過後に受信の切り替えを行なう構成とした。
【００２９】
かかる構成によれば、データ受信端末は、放送データから通信データへ受信が切り替わるとき、優先端末として設定されていない端末のみが指定された切替遅延時間経過後に通信回線への接続を開始する。
【００３０】
また、請求項５に記載のデータ受信プログラムは、データ受信端末のコンピュータを、放送データを受信するときの伝送誤りにより放送データの受信状態の劣化を検出する受信状態検出手段、サーバから通信データを受信するときの通信回線ビジー及びサーバビジーの少なくとも１つにより通信データの受信状態の劣化を検出する通信状態検出手段、前記受信状態検出手段及び前記通信状態検出手段の検出結果に基づいて、番組対応表を参照して、放送データと通信データとの受信の切り替えを行なう制御手段、として機能させる構成とした。
【００３１】
かかる構成によれば、データ受信プログラムは、受信状態検出手段によって、放送データを受信するときの伝送誤りを検出し、通信状態検出手段によって、通信データを受信するときの通信回線ビジー及びサーバビジーの少なくとも１つを検出し、制御手段によって、前記受信状態検出手段及び前記通信状態検出手段の検出結果に基づいて、記憶手段に記憶されている番組対応表を参照して、放送データと通信データとの受信の切り替えを行なう。
【００３２】
【発明の実施の形態】
以下、本発明の実施の形態を図面に基づいて詳細に説明する。
（データ放送システムの構成）
図１は、データ放送システム全体の構成を表わす概念図である。図１に示すように、放送局２０の放送送信手段２１が、データ放送用の放送データを蓄積した放送用データ２２内のデータをデータ放送の時間帯に合わせて放送波１により送信し、データ受信端末１０の放送受信手段１１が、送信された放送データを受信する。
【００３３】
また、データ受信端末１０は、通信受信手段１２で放送局２０の通信用サーバ２４内のデータを取得することもできる。このときデータ受信端末１０は、通信受信手段１２から通信回線２を介してデータの要求を放送局２０へ送信し、放送局２０は、通信用サーバ２４内の要求されたデータを通信送信手段２３から通信回線２を介してデータ受信端末１０に送信する。
【００３４】
この放送用データ２２と通信用サーバ２４は対応関係を持ち、同様な内容のデータを保持することで、受信側は放送データと通信データとの両方で、同じ内容を閲覧することができる。また、放送用データ２２と通信用サーバ２４は、同じデータを共用したデータ装置として構築することも可能である。
【００３５】
ここで、データ受信端末１０は、放送受信手段１１または通信受信手段１２のどちらからデータを受信するかは、制御手段１３によって切り替えられ、受信したデータが映像である場合は、映像表示手段１５によって表示され、受信したデータが音声である場合は、音声出力手段１６によって出力される。
【００３６】
さらに放送局２０の放送送信手段２１は、放送用データ２２の放送データに合わせて、その対応関係にある通信用サーバ２４の通信データの保持アドレス（以下アドレスと略す）、例えば、ＷＷＷ(World Wide Web)サーバのアドレス（ＵＲＬ）を通知する。これにより、データ受信端末１０が、放送受信手段１１による放送データの受信から、通信受信手段１２による通信データの受信へと、データの対応関係を保ちながら受信を切り替えることが可能になる。
【００３７】
このアドレス（ＵＲＬ）を通知する方法としては、例えば、デジタル放送の番組配列情報（ＳＩ：Service Information）に含まれるネットワーク（衛星テレビ、衛星音声、地上テレビ、地上音声等）内で放送されている編成チャンネルのリスト情報を示すＮＩＴ（Network Information Table）や、個々の番組の案内を示すＥＩＴ（Event Information Table）の中にリンク記述子を指定し、その中にプライベートデータ（private_data_byte）として「Ｒ−ＵＲＬ＝」に続けてアドレスを指定する。このとき、サービスチャンネル毎の指定を行なう場合はＮＩＴに、番組（イベント）毎の指定を行なう場合はＥＩＴにより指定する。
【００３８】
また、このアドレスを通知する方法の別の例としては、ＥＩＴの中にハイパーリンク記述子をいれ、その中のリンク先種別として新たにＷＥＢコンテンツを示す種別を定義する。たとえば、reserved_future_useの０ｘ０８を「ＷＥＢコンテンツ」とし、そのセレクタ領域の記述をARIB STD-B10の6.2.29に規定される蓄積コンテンツの記述と同様に規定して、アドレス（ＵＲＬ）を指定することもできる。
【００３９】
また、放送局２０の放送送信手段２１は、受信側が放送データから通信データへ受信を切り替える際の切替遅延時間を付加して送信することで、受信側が切替遅延時間経過後に放送データから通信データへ受信を切り替えることができる。この切替遅延時間によって、例えば、非常災害発生時等に、非常災害の関連情報を通信データとして提供する場合、視聴者が一斉に通信回線２への発呼を行なわないように制御することができる。この場合、予め設定されたデータ受信端末１０のみが、非常災害発生時等に優先的に非常災害の関連情報を受信できるようにすれば、すなわち、前記切替遅延時間を無視する設定にすることで、非常災害発生時に、最初に優先端末が通信回線２を使用し、一般端末が切替遅延時間経過後に通信回線２を使用することで通信回線２の輻輳を防ぐことができる。
【００４０】
この切替遅延時間をデータ受信端末１０に通知する方法としては、例えば、コンテンツの記述の中に、コメントタグを用いて、「<-- Wait_to_T {URL} {指定秒} -->」と記述することで、このＵＲＬへのアクセスを指定秒だけ制限することができる。
【００４１】
また、放送局２０の通信送信手段２３は、通信用サーバ２４の通信データに合わせて、その対応関係にある放送用データ２２の放送データの放送チャンネルあるいは放送番組番号を通知する。これにより、データ受信端末１０が、通信受信手段１２から放送受信手段１１へデータの対応関係を保ちながら受信を切り替えることが可能になる。なお、前記放送番組番号とは放送番組を識別する番号をいう。
【００４２】
この放送チャンネルあるいは放送番組番号を通知する方法としては、例えば、ＵＲＬで指定されたＷｅｂページのコンテンツの記述の中に、コメントタグを用いて、「<-- Link_to_B{original_network_id}.{transport_stream_id}.
{service_id}.{event_id} -->」と記述する。ここで、original_network_idは、デジタル放送のネットワークの種類（衛星テレビ、衛星音声、地上テレビ、地上音声等）を表わし、transport_stream_idはＴＳ（Transport Stream）を識別し、service_idは放送チャンネル、event_idは番組を表わしている。なお、前記各idは１６ビットの識別番号とし、ネットワークが固定の場合は、{network_id}を省略することができる。
【００４３】
また、放送チャンネルあるいは放送番組番号を通知する別の方法としては、ARIB STD-B24第２編9.2.5または9.2.6の規定に従い、通信データの中にarib://<original_network_id>.<transport_stream_id>.<service_id>
あるいは、arib://<original_network_id>.<transport_stream_id>.<service_id>.<event_id> と記述して、通知することもできる。
【００４４】
この放送チャンネルあるいは放送番組番号を通知する方法は、例えば非常災害発生時等に、固有の放送チャンネルあるいは放送番組番号を通知することで、データ受信端末１０が通信データを受信しているときでも、自動的に災害情報番組に切り替えることができる。
【００４５】
なお、前記の説明において、データ受信端末１０の各手段は、個々の装置として構成することも可能であるし、放送局２０の通信回線２に使用する通信送信手段２３や通信用サーバ２４は放送局２０外の設備として構成することも可能であるが、本発明は、この構成にとらわれるものではない。
【００４６】
（データ受信端末の構成）
次に、図２、図３に基づいて、データ受信端末１０の構成について詳細に説明する。
図２は、データ受信端末１０の全体構成を示すブロック図である。図２に示すように、放送受信手段１１と、通信受信手段１２と、制御手段１３と、記憶手段１４と、映像表示手段１５と、音声出力手段１６と、送話手段１７と、操作手段１８とを含む構成とした。図３は、制御手段１３と他の手段との制御信号の内容を示す図である。
【００４７】
放送受信手段１１は、受信部１１ａ、復号部１１ｂ、受信状態検出部１１ｃを備えており、後記する制御手段１３からの制御信号により、放送波１からの放送データの受信の開始及び終了を行なう。
【００４８】
この放送受信手段１１は、制御手段１３から放送番組番号を通知する制御信号（番組番号通知１００）と、放送波１からの放送データの受信を開始する旨の指示を表わす制御信号（受信開始指示１０１）を受信することで、受信部１１ａによって、地上デジタル放送などの放送波１からデータカルーセル伝送方式によって放送された前記放送番組番号の放送データを受信し、復号部１１ｂによって受信データを復号する。最初の画面の復号が完了した段階で、放送受信手段１１は、制御手段１３に対して受信の準備が完了したことを示す制御信号（受信準備完了１０２）を通知する。これ以後、放送受信手段１１は、制御手段１３から放送データの受信終了を指示する制御信号（受信終了指示１０３）が通知されるまで、放送データの受信を続ける。なお、復号部１１ｂによって復号された受信データのうち、映像信号は映像表示手段１５に、音声信号は音声出力手段１６に出力される。
【００４９】
また、放送受信手段１１は、受信状態検出部１１ｃにより、伝送誤りを検出し、伝送誤りがある限度以上発生した場合は、放送波１による受信状態が悪くなった旨を示す制御信号（受信状態通知１０４）を制御手段１３へ通知する。
【００５０】
なお、受信状態検出部１１ｃでは、例えば、地上デジタル放送におけるＴＳ（Transport Stream）パケットごとの外符号誤り訂正に使用されているリードソロモン符号（（２０４，１８８）短縮化リードソロモン符号）や、ＴＳパケットの先頭にある同期符号（８ビット）の誤りを検出する。そして、例えば、前記リードソロモン符号の誤りビット数が８ビット以上となるＴＳパケットの連続数や、前記同期符号に誤りがあるＴＳパケットの連続数や、あるいは一定時間間隔における前記誤りを含んだＴＳパケットの比率等の値が、予め設定されている値を超えたときに、受信状態が悪いと判断する。
【００５１】
通信受信手段１２は、送受信部１２ａ、復号部１２ｂ、通信状態検出部１２ｃ、通話部１２ｄを備えており、後記する制御手段１３からの制御信号により、通信回線２からの通信データの受信の開始及び終了を行なう。また、音声通信の開始及び終了も行なう。
【００５２】
この通信受信手段１２は、制御手段１３からＷＷＷ(World Wide Web)サーバのアドレス（ＵＲＬ）を含んだ制御信号（アドレス通知２００）と、通信回線２からの通信データの受信を開始する旨の指示を表わす制御信号（通信開始指示２０１）を受信することで、送受信部１２ａは、例えば、インターネットの接続形態がダイヤルアップ接続の場合は、契約しているネットワークプロバイダのアクセスポイントに接続を行なう。
【００５３】
そして、送受信部１２ａが、前記アドレス（ＵＲＬ）を通信回線２を介して送信することで、前記アドレス（ＵＲＬ）の情報を提供しているサーバからデータを受信する。この受信したデータは、復号部１２ｂによって復号される。最初の画面の復号が完了した段階で、通信受信手段１２は、制御手段１３に対して受信の準備が完了したことを示す制御信号（通信準備完了２０２）を通知する。
【００５４】
これ以後、通信受信手段１２は、制御手段１３から通信データの受信終了を指示する制御信号（通信終了指示２０３）が通知されるまで、通信データの受信を続ける。なお、復号部１２ｂで復号された通信データのうち、映像信号は映像表示手段１５に、音声信号は音声出力手段１６に出力される。
【００５５】
また、通信受信手段１２は、通信状態検出部１２ｃにより、通信回線２または前記サーバのビジー状態を検出し、ビジーの連続回数または検出回数がある限度以上発生した場合は、通信回線２によるデータ受信状態が悪くなった旨を示す制御信号（通信状態通知２０４）を制御手段１３へ通知する。
【００５６】
なお、通信状態検出部１２ｃでは、例えば、前記ダイヤルアップ接続の発呼時の相手局（アクセスポイント）ビジー状態や、通信回線２の接続はできてもサーバへの接続窓口に空きがなくて切断されるといった状態を検出する。そして、例えば、前記相手局ビジー状態のときに、一定時間後の再発呼の連続接続試行回数や、サーバへの接続窓口に空きがなくて切断される連続回数等の値が、予め設定されている値を超えたときに、通信回線２の状態が悪いと判断する。
【００５７】
また、通話部１２ｄは、一般的な電話の機能を持ち、発信時においては、制御手段１３から電話番号情報を含んだ発信を指示する制御信号（発信指示２０５）が通知され、前記電話番号に対して接続を行ない、相手が着信を受け付けた段階で通話路を形成し、接続が完了したことを示す制御信号（発信受付２０６）を制御手段１３に通知する。これにより、視聴者は、自分の声を送話手段１７によって送信し、前記電話番号の相手の声を音声出力手段１６で受信することで、通話を行なうことができる。また、通話部１２ｄは、着信時においては、通信回線２からの着信を検出し、着信があったことを示す制御信号（着信通知２０７）を制御手段１３に通知し、制御手段１３から着信を受け付けることを示す制御信号（着信受付２０８）が通知された段階で通話路を形成し、通話が可能になる。
【００５８】
また、通話部１２ｄは、前記通話を切断するときは、制御手段１３から切断の指示を示す制御信号（切断指示２０９）が通知されることで通信を切断し、切断が完了したことを示す制御信号（切断完了２１０）を制御手段１３に通知する。また、通話部１２ｄは、相手局からの切断を検出した場合は、切断があったことを示す制御信号（切断通知２１１）を制御手段１３に通知し、切断の受け付けの完了を示す制御信号（切断受付２１２）が通知されることで通信を終了する。
【００５９】
制御手段１３は、切替制御部１３ａと操作実行１３ｂとを備えており、データ受信端末１０の全体の制御を行なう。
この制御手段１３は、切替制御部１３ａによって、放送受信手段１１の放送波１によるデータ受信と、通信受信手段１２の通信回線２によるデータ受信との切り替えを行なう。この切り替えは、制御手段１３が、放送受信手段１１から、放送波１による受信状態が悪くなった旨を示す制御信号（受信状態通知１０４）を通知されたとき、及び通信受信手段１２から、通信回線２によるデータ受信状態が悪くなった旨を示す制御信号（通信状態通知２０４）を通知されたときに発生する。
【００６０】
ここで、データ受信端末１０が放送波１による放送データの受信を行なう場合は、切替制御部１３ａは、放送受信手段１１に対して放送番組番号を通知する制御信号（番組番号通知１００）と、放送データの受信を開始する旨の制御信号（受信開始指示１０１）を通知し、放送受信手段１１から、放送データを受信し、最初の画面を復号し終わった段階で受信の準備が完了したことを示す制御信号（受信準備完了１０２）を受信する。そして、映像表示手段１５及び音声出力手段１６に対して、放送受信手段１１の映像信号及び音声信号を使用するように指示する制御信号（入力切替指示５００または入力切替指示６００）を通知する。また、通信受信手段１２に対しては、通信回線２による通信データの受信を停止する旨の制御信号（通信終了指示１０３）を通知する。
【００６１】
ここで使用する放送番組番号は、操作手段１８から視聴者によって入力される場合と、通信データから放送データへ受信を切り替える際に、後記する記憶手段１４に記憶されたＷＷＷサーバのアドレス（ＵＲＬ）とデジタル放送の放送番組番号とを関連付けた番組対応表１４ａに基づいて、通信データで受信していたアドレスに対応する放送番組番号を使用する場合がある。
【００６２】
また、データ受信端末１０が通信回線２によって通信データの受信を行なう場合は、通信受信手段１２に対してＷＷＷサーバのアドレス（ＵＲＬ）を含んだ制御信号（アドレス通知２００）と、通信データの受信を開始する旨の制御信号（通信開始指示２０１）を通知し、通信受信手段１２から、通信データを受信し、最初の画面を復号し終わった段階で受信の準備が完了したことを示す制御信号（通信準備完了２０２）を受信する。そして、映像表示手段１５及び音声出力手段１６に対して、通信受信手段１２の映像信号及び音声信号を使用するように指示する制御信号（入力切替指示５００または入力切替指示６００）を通知する。また、放送受信手段１１に対しては、放送波１による放送データの受信を停止する旨の制御信号（受信終了指示１０３）を通知する。
【００６３】
ここで使用するアドレス（ＵＲＬ）は、操作手段１８から視聴者によって入力される場合、放送データから通信データへ受信を切り替える際に、後記する記憶手段１４に記憶された番組対応表１４ａに基づいて、放送データで受信していた放送番組番号に対応するアドレス（ＵＲＬ）を使用する場合、そして、コンテンツに記述されたアドレス（ＵＲＬ）を使用する場合がある。
【００６４】
このコンテンツに記述されたアドレス（ＵＲＬ）を使用する場合は、コンテンツの中にコメントタグを用いて記述された「<-- Wait_to_T {URL} {指定秒} -->」を解析することで、指定時間の切替遅延時間を設定することができる。このとき、通常のデータ受信端末１０はこの切替遅延時間経過後に発呼を行ない、予め設定された端末は、この切替遅延時間を無視することで、非常災害発生時等における通信回線２の輻輳を防ぐことができる。この切替遅延時間を無視する端末は、予め端末個々に設定してあっても良いし、例えば、端末に固有の識別番号を付与し、その識別番号に基づいて、切り替える構成であっても構わない。
【００６５】
また、操作実行部１３ｂは、操作手段１８から通知されるキーに基づいて、視聴者の操作に対応した各種処理を実行する。例えば、視聴者から操作手段１８を介して放送番組番号が入力された場合、放送受信手段１１に対して、前記放送番組番号を含んだ番組切替を指示する制御信号（番組番号通知１００）を通知し、視聴者から操作手段１８を介して電話番号が入力されたら、通信受信手段１２に対して、前記電話番号を含んだ発信を指示する制御信号（発信指示２０５）を通知する。
【００６６】
記憶手段１４は、番組対応表１４ａを記憶する。
この番組対応表１４ａは、デジタル放送における放送チャンネルや放送番組番号とＷＷＷサーバのアドレス（ＵＲＬ）とを対応付けている。この対応は、放送データに通信データのアドレス（ＵＲＬ）が重畳されて通知されたとき、あるいは、通信データに放送チャンネルや放送番組番号が重畳されて通知されたとき、制御手段１３によって更新される。
【００６７】
映像表示手段１５は、表示部１５ａと、切替部１５ｂとを備え、入力された映像信号を表示する。ここで表示部１５ａは、液晶モニタ等の表示装置で、切替部１５ｂは、制御手段１３からの制御信号（入力切替指示５００）によって、放送受信手段１１の映像信号と、通信受信手段１２の映像信号との切り替えを行ない、どちらか一方の映像を表示する。
【００６８】
音声出力手段１６は、出力部１６ａと、切替部１６ｂとを備え、入力された音声信号を出力する。ここで出力部１６ａは、スピーカ等の音声出力装置で、切替部１６ｂは、制御手段１３からの制御信号（入力切替指示６００）によって、放送受信手段１１の音声信号と、通信受信手段１２の音声信号との切り替えを行ない、どちらか一方の音声を出力する。
【００６９】
送話手段１７は、視聴者がデータ受信端末１０を電話として使用するときの送話口すなわちマイクとして機能する。この送話手段１７から入力された音声信号（視聴者の声）は、通信受信手段１２へ送出され、通信受信手段１２の通話部１２ｄを介して通信回線２上に音声信号として出力される。
【００７０】
操作手段１８は、視聴者がデータ受信端末１０に対して、指示を行なう操作部で、キーボード等の入力部１８ａを備えている。ここで入力されたキーは、制御手段１３に通知され、制御手段１３の操作実行部１３ｂにおいて、キーの解析が行なわれ処理が実行される。
【００７１】
以上、一実施形態に基づいて本発明に係るデータ受信端末１０の構成について説明したが、本発明はこれに限定されるものではなく、例えば、受信状態検出部１１ｃが、伝送誤りを検出する毎に、あるいは伝送誤り状態を一定時間間隔毎に切替制御部１３ａに通知し、通信状態検出部１２ｃが、通信回線２またはサーバのビジー状態を検出する毎に、あるいは前記ビジー状態を一定時間間隔毎に切替制御部１３ａに通知して、その誤りまたはビジーの状況に基づいて、切替制御部１３ａが放送受信手段１１の放送波１によるデータ受信と、通信受信手段１２の通信回線２によるデータ受信とのどちらを使用するかを切り替えるようにする形態であっても構わない。
【００７２】
なお、データ受信端末１０は、コンピュータにおいて、放送受信手段１１、通信受信手段１２及び制御手段１３の各機能はプログラムで実現することも可能であり、各機能プログラムを結合してデータ受信プログラムとして動作させることも可能である。
【００７３】
（データ受信端末の動作）
次に、図４、図５のフローチャートに基づいて、データ受信端末１０の放送データと通信データの受信の切替動作を説明する。
【００７４】
まず最初に、図４のフローチャートに基づいて、データ受信端末１０が、放送データを受信する場合を説明する。
【００７５】
データ受信端末１０は操作手段１８から、放送データの放送チャンネルや放送番組番号を視聴者の操作により受け付ける（視聴者の操作受付）（ステップＳ１）。
【００７６】
視聴者の指示に基づいて、放送チャンネルや放送番組番号の放送データを放送受信手段１１が受信し、前記放送データを復号する（ステップＳ２）。
【００７７】
この放送データ受信時に、放送受信手段１１は、受信状態検出部１１ｃにおいて伝送誤りを検出し（ステップＳ３）、伝送誤りがない場合は（Ｎｏ）、放送データで通知されるアドレス（ＵＲＬ）に基づいて番組対応表１４ａを更新する（ステップＳ４）。そして、現在表示中のデータを判定し（ステップＳ５）、放送データが表示されている場合は、そのまま表示を継続してステップＳ１へ戻り、視聴者の操作の受付を行なう。一方、現在表示されているデータが通信データの場合は、通信データの受信を終了し、表示切替を行なう（ステップＳ６）。
【００７８】
また、ステップＳ３において、伝送誤りが検出された場合は（Ｙｅｓ）、伝送誤りの回数処理（ステップＳ７）により、誤りパケットの連続数や、一定時間間隔における誤りを含んだパケットの比率等を算出し、放送データから通信データへ受信切替が必要かどうかを判定する（ステップＳ８）。ここで予め設定された基準値を超えない場合は受信切替が必要でない（Ｎｏ）と判定してステップＳ１に戻る。一方、受信切替が必要（Ｙｅｓ）と判定した場合は、番組対応表１４ａから通信データのアドレス（ＵＲＬ）を取得し（ステップＳ９）、受信切替を行なうため、図５のステップ１１へ進む。
【００７９】
次に、図５のフローチャートに基づいて、データ受信端末１０が、通信データを受信する場合を説明する。
【００８０】
データ受信端末１０は操作手段１８から、通信データのアドレス（ＵＲＬ）を視聴者の操作により受け付ける（視聴者の操作受付）（ステップＳ１０）。
【００８１】
視聴者の指示に基づいて、例えば、ダイヤルアップ接続の場合は、プロバイダのアクセスポイントに接続し（通信回線への接続）（ステップＳ１１）、通信データのアドレスを指定して通信データの受信を行なう（ステップＳ１２）。
【００８２】
この通信回線２への接続時や通信データ受信時に、通信受信手段１２は、通信状態検出部１２ｃにおいて、通信回線２又はサーバビジーを検出し（ステップＳ１３）、ビジーがない場合は（Ｎｏ）、通信データで通知される放送チャンネルや放送番組番号に基づいて番組対応表１４ａを更新する（ステップＳ１４）。そして、現在表示中のデータを判定し（ステップＳ１５）、通信データが表示されている場合は、そのまま表示を継続してステップＳ１０へ戻り、視聴者の操作の受付を行なう。一方、現在表示されているデータが放送データの場合は、放送データの受信を終了し、表示切替を行なう（ステップＳ１６）。
【００８３】
また、ステップＳ１３において、ビジーが検出された場合は（Ｙｅｓ）、ビジー回数処理（ステップＳ１７）により、再発呼の連続接続試行回数やサーバとの連続切断回数等を算出し、通信放送データから放送データへ受信切替が必要かどうかを判定する（ステップＳ１８）。ここで予め設定された基準値を超えない場合は受信切替が必要でない（Ｎｏ）と判定してステップＳ１０に戻る。一方、受信切替が必要（Ｙｅｓ）と判定した場合は、番組対応表１４ａから放送データの放送チャンネル又は放送番組番号を取得し（ステップＳ１９）、受信切替を行なうため、図４のステップ２へ戻る。
以上の動作により、データ受信端末１０は、放送データと通信データとの受信の切り替えを行なうことができる。
【００８４】
【発明の効果】
以上説明したとおり、本発明に係るデータ受信端末及びデータ受信プログラムでは、以下に示す優れた効果を奏する。
【００９１】
請求項１に記載の発明によれば、データ受信端末は、受信状態検出手段によって、放送データの伝送誤りを検出し、通信状態検出手段によって、通信データを受信するときの通信回線ビジー及びサーバビジーの少なくとも１つを検出し、記憶手段によって、放送データの放送チャンネルまたは放送番組番号と、サーバのアドレスとの番組対応表を記憶し、制御手段によって、放送データと通信データとの受信の切り替えを行なうことができる。
【００９２】
これにより、データ受信端末は、放送データと通信データとの受信を共用し、データ受信端末内で、放送データと受信データとの切り替えを行なうことが可能なデータ統合端末を実現することができる。このため、放送データの受信端末と通信データの受信端末を２つ使用する場合に比べて使い勝手が良く、共通部分を共用することにより、データ受信端末のコストを下げることができる。また、放送データと通信データとを共用することで、放送データを受信し難い場合は通信データを受信し、通信データが繋がり難い場合は放送データを受信するといった選択を行なうことができる。
また、データ受信端末は、常に最新の番組対応表を保持することができる。このため、視聴者は、放送データと通信データとの対応を意識することなくデータ受信端末を利用することができる。
【００９３】
請求項２に記載の発明によれば、データ受信端末は、制御手段によって、予め定められた時間間隔内における伝送誤りが発生するパケットの割合と、伝送誤りの発生した連続パケット数との少なくとも１つの観測値と、予め設定された基準値との比較結果に基づいて、伝送誤りが基準値を超えた場合は、放送データから通信データへの受信の切り替えを行なうことができる。
【００９４】
これにより、データ受信端末は、放送データ受信時の受信状態を検出することで、放送データの受信状態が悪くなったときに、視聴者が操作を行なわなくても自動的に通信データへ受信を切り替えることができる。すなわち、放送データが受信できないエリアであっても、通信データで代用できるため、実質的にサービスエリアを拡大することができる。
【００９５】
請求項３に記載の発明によれば、データ受信端末は、制御手段によって、前記通信回線ビジーと前記サーバビジーとの少なくとも１つの連続した回数、または予め定められた時間間隔内の観測回数と、予め設定された基準回数との比較結果に基づいて、通信回線ビジーまたはサーバビジーの回数が基準値を超えた場合は、通信データから放送データへの受信の切り替えを行なうことができる。
【００９６】
これにより、データ受信端末は、通信データ受信時の通信回線状態及びサーバ状態を検出することで、通信データの受信状態が悪くなったときに、視聴者が操作を行なわなくても自動的に放送データへ受信を切り替えることができる。すなわち、通信データの受信が集中する状況においても、放送データで基本的なデータを受信することができるので、視聴者にとって、快適なデータ閲覧環境を構築することができる。
【０１０５】
請求項４に記載の発明によれば、データ受信端末は、放送データから通信データへ受信が切り替わるとき、優先端末として設定されていない端末は、指定された切替遅延時間経過後に通信回線への接続を開始する。
【０１０６】
これにより、データ受信端末は、データ受信端末毎にこの切替遅延時間を判定するかどうかを予め設定しておくことで、例えば、非常災害発生時等に通信回線への接続が集中する場合、通信回線への輻輳を制御することができる。
【０１０７】
請求項５に記載の発明によれば、データ受信プログラムは、受信状態検出手段によって、放送データの伝送誤りを検出し、通信状態検出手段によって、通信データを受信するときの通信回線ビジー及びサーバビジーの少なくとも１つを検出し、制御手段によって、放送データと通信データとの受信の切り替えを行なう。
【０１０８】
これにより、データ受信プログラムは、放送データと通信データとの受信を共用し、データ受信端末内で、放送データと受信データとの切り替えを行なうように機能させることができる。また、放送データと通信データとを適宜受信表示することで、放送データを受信し難い場合は通信データを受信し、通信データが繋がり難い場合は放送データを受信するといった選択を行なうことができる。
【図面の簡単な説明】
【図１】本発明の実施の形態によるデータ放送システム全体の構成を表わす概念図である。
【図２】本発明の実施の形態に係るデータ受信端末の全体構成を示すブロック図である。
【図３】本発明の実施の形態に係る制御手段と他の手段との制御信号の内容を示す図である。
【図４】本発明の実施の形態に係る放送データを受信する動作説明したフローチャートである。
【図５】本発明の実施の形態に係る通信データを受信する動作説明したフローチャートである。
【図６】データ放送で使用されるデータカルーセル伝送方式の概念図である。
【符号の説明】
１……放送波
２……通信回線
１０……データ受信端末
１１……放送受信手段
１１ａ……受信部
１１ｂ……復号部
１１ｃ……受信状態検出部
１２……通信受信手段
１２ａ……送受信部
１２ｂ……復号部
１２ｃ……通信状態検出部
１２ｄ……通話部
１３……制御手段
１３ａ……切替制御部
１４……記憶手段
１４ａ……番組対応表
１５……映像表示手段
１６……音声出力手段
１７……送話手段
１８……操作手段
２０……放送局
２１……放送送信手段
２２……放送用データ
２３……通信送信手段
２４……通信用サーバ
【図１】
0004504601.tif 000002
【図２】
0004504601.tif 000003
【図３】
0004504601.tif 000004
【図４】
0004504601.tif 000005
【図５】
0004504601.tif 000006
【図６】
0004504601.tif 000007